(57)【要約】【課題】ストレーナ部材の脱着のための作業が簡単で所要時間も少なくて済み、また吐水口キャップをねじ式で吐水口本体部に取り付けることのできない場合であっても支障無くストレーナ部材を脱着できるストレーナ部材の脱着構造を提供する。【解決手段】水栓のストレーナ部材３８の脱着構造において、ストレーナ部材３８を組付位置に保持する保持部材（機能部ユニット）１８にスライド係合溝１０４を設ける一方、吐水口本体部２０の側に保持部材１８を組付位置にロックするロック部材１１２を前後にスライド可能に設け、ロック部材１１２のスライドによりストレーナ部材３８を脱着できるようにする。【選択図】        図５
2006193923.tif 000002
【特許請求の範囲】
【請求項１】
網目を通水させる水栓のストレーナ部材の脱着構造であって
該ストレーナ部材若しくは該ストレーナ部材を組付位置に保持するための保持部材とその組付基体となる吐水口本体部との一方に、該ストレーナ部材若しくは保持部材を組付位置にロックするロック部材をロック位置とロック解除位置との間でスライド可能に設け、該ロック部材のスライドにより前記ストレーナ部材を脱着するようになしたことを特徴とするストレーナ部材の脱着構造。
【請求項２】
請求項１において、前記ロック部材には操作部が設けてあり、該操作部が吐水口の後ろ側に配置してあることを特徴とするストレーナ部材の脱着構造。
【請求項３】
請求項１，２の何れかにおいて、前記ロック部材が前後方向にスライドするものとなしてあることを特徴とするストレーナ部材の脱着構造。
【発明の詳細な説明】
【技術分野】
【０００１】
この発明は水栓のストレーナ部材の脱着構造に関する。
【背景技術】
【０００２】
従来より、水栓の吐水口には網状部を有するストレーナ部材が組み付けられている。
従来の水栓にあってこのストレーナ部材は、吐水口本体部にねじ結合した吐水口キャップにて組付位置に保持されており、ストレーナ部材の掃除等のメンテナンスの必要が生じたときには、吐水口キャップのねじを緩め且つ吐水口本体部から外すことによってストレーナ部材の取外しが可能な構造とされていた。
例えば下記特許文献１にこの種のストレーナ部材の脱着構造が開示されている。
【０００３】
しかしながらこの脱着構造の場合、ストレーナ部材を取り外し、また組み付ける際にその都度吐水口キャップを何回も回転操作しなければならず、作業が面倒であって、またストレーナ部材の脱着のために時間がかかるといった問題があった。
また吐水口ないし周辺の構造によっては吐水口キャップの吐水口本体部への螺合，螺合解除によってストレーナ部材を吐水口本体部に対し脱着するといったことができない場合があり、このような場合においてもストレーナ部材を支障無く脱着できる構造が求められていた。
【０００４】
【特許文献１】特開平１０−２８０５０２号公報
【発明の開示】
【発明が解決しようとする課題】
【０００５】
本発明はこのような事情を背景とし、ストレーナ部材の脱着のための作業が簡単で所要時間も少なくて済み、また吐水口キャップをねじ式に吐水口本体部に取り付けることのできない場合であっても支障無くストレーナ部材を脱着できるストレーナ部材の脱着構造を提供することを目的としてなされたものである。
【課題を解決するための手段】
【０００６】
而して請求項１のものは、網目を通水させる水栓のストレーナ部材の脱着構造であって、該ストレーナ部材若しくは該ストレーナ部材を組付位置に保持するための保持部材とその組付基体となる吐水口本体部との一方に、該ストレーナ部材若しくは保持部材を組付位置にロックするロック部材をロック位置とロック解除位置との間でスライド可能に設け、該ロック部材のスライドにより前記ストレーナ部材を脱着するようになしたことを特徴とする。
【０００７】
請求項２のものは、請求項１において、前記ロック部材には操作部が設けてあり、該操作部が吐水口の後ろ側に配置してあることを特徴とする。
【０００８】
請求項３のものは、請求項１，２の何れかにおいて、前記ロック部材が前後方向にスライドするものとなしてあることを特徴とする。
【発明の作用・効果】
【０００９】
以上のように本発明は、ストレーナ部材若しくはその保持部材と吐水口本体部との一方にロック部材をスライド可能に設け、ロック部材のスライドによりストレーナ部材を脱着するようになしたもので、本発明によれば、単にロック部材をスライドさせるだけで簡単にストレーナ部材を組付位置から取り外すことができ、或いはまたこれをその所定の組付位置に組み付けることができ、ストレーナ部材の脱着のための作業が簡単でその際の手間を軽減でき、また脱着のための所要時間も短くすることができる。
また本発明によれば、吐水口若しくはその周辺部が、吐水口キャップのねじ込みによりストレーナ部材を脱着できないような構造を成していても、支障無くストレーナ部材を脱着することができる。
【００１０】
本発明において、上記ロック部材には操作部を設けておき、その操作部を吐水口の後ろ側に配置しておくことができる（請求項２）。
この場合、操作部が吐水口の後ろ側に位置しているため、ロック部材を誤って操作してしまうのを有効に防止することができる。
【００１１】
本発明ではまた、ロック部材を吐水管の管軸方向に沿った前後方向にスライドさせるようになすことができ（請求項３）、このようになした場合、ロック部材ないしそのスライド案内部が吐水管の側方に突出した状態となるのを回避でき、吐水口周辺の意匠性を良好に保持することができる。
【発明を実施するための最良の形態】
【００１２】
次に本発明の実施形態を図面に基づいて詳しく説明する。
図１〜図３において、１０は吐水管で、１２はその外殻管、１４は内管である。内管１４は内部に水路１５を有している。
１６は吐水管１０の先端部の吐水口で、吐水及び吐水の切換えのための各種機能部を備えた機能部ユニット１８と、その取付基体となる吐水口本体部２０とから成っている。
ここで機能部ユニット１８は、内管１４の開口部２２及び外殻管１２の開口部２４において、取付基体となる吐水口本体部２０に対しその全体が脱着可能に組み付けられている。
【００１３】
２６は機能部ユニット１８における継手本体で、その上端部が組付リング２８により吐水口本体部２０、詳しくは開口部２２に組み付けられている。
組付リング２８は、その上部が嵌合部３０とされている。嵌合部３０の外周面には環状溝が形成されていて、そこに弾性を有するシールリングとしてのＯリング３２が装着されている。
【００１４】
一方下部の内周面には雌ねじ３４が形成されており、そこに継手本体２６の上端部外周面の雄ねじ３６がねじ結合されている。
継手本体２６即ち機能部ユニット１８は、その全体が組付リング２８の開口部２２内周面への圧入により吐水口本体部２０に組み付けられている。詳しくは、機能部ユニット１８はＯリング３２と開口部２２内周面との摩擦力に基づいて、吐水口本体部２０に図中上下方向に脱着可能に保持されている。
【００１５】
本実施形態では、この機能部ユニット１８の上部に実質的に全体がメッシュ（網状部）から成るストレーナ部材３８が保持されている。
ここでストレーナ部材３８は、組付リング２８の開口部４０を通じて出し入れ可能である。
【００１６】
継手本体２６の中心部には円筒部４２が形成されており、その円筒部４２の内側に嵌入孔４４が形成されている。
更にこの円筒部４２を取り巻くようにして、小口径の円形の複数の貫通口４６が形成されており、またこの貫通口４６の上側において単一の口径の大きな円形の凹部４８が形成されている。
これら貫通口４６及び凹部４８は、後述の第１吐水路７０の一部を成すものである。
【００１７】
機能部ユニット１８は、この継手本体２６の他に散水部材５０，筒部材５２及び摘み５３を有する操作リング５４を主要素として有している。
【００１８】
上記散水部材５０は中心部に軸部５６を有しており、その軸部５６が継手本体２６における中心部の嵌入孔４４に図中上下方向、即ち軸方向に摺動可能に嵌入されている。
この軸部５６の上端部には止輪５８が装着されており、この止輪５８が円筒部４２の上端に当接することによって、散水部材５０が継手本体２６から図中下向きに抜止めされている。
【００１９】
軸部５６の下端部には平板状且つ平面形状が円形をなす散水板６０が一体に形成されている。
この散水板６０には小孔の多数の散水孔６２が分散して配置されており、それら散水孔６２によってシャワー口６４が構成されている。
【００２０】
この散水板６０の外周部には円形の堤部６６が図中上向きに立ち上がる形態で形成されており、その堤部６６の内側に凹部６８が形成されている。
そしてこの凹部６８と継手本体２６における上記の凹部４８，貫通口４６等によって、シャワー口６４に到る第１吐水路７０が形成されている。
【００２１】
上記筒部材５２は全体として円筒形状をなしており、図２に示しているように（図２はストレート吐水時の状態を表している。尚図１はシャワー吐水時の状態を表している）散水部材５０における散水板６０との間に、即ちシャワー口６４の周りにストレート吐水用の円筒状の周孔７２を形成している。
【００２２】
本実施形態では、散水板６０と継手本体２６との間の上下の隙間、詳しくは堤部６６と継手本体２６との間の上下の隙間及び周孔７２を含んで、第１吐水路７０から分岐してシャワー口６４の外周側に回り込み、周孔７２を通過する第２吐水路７４が形成されている。
【００２３】
本実施形態においては、図１に示しているように散水部材５０が筒部材５２とともに図中上向きに持ち上げられて、堤部６６が継手本体２６に装着されたシール部材７６に着座することで第２吐水路７４が閉鎖される。
また一方、散水部材５０が筒部材５２とともに図１に示す状態から図２に示すように図中下向きに下降移動して堤部６６がシール部材７６から離間し、そこに隙間を形成することで第２吐水路７４が開放される。
【００２４】
ここでシール部材７６は全体としてリングブロック状をなしており、散水部材５０における堤部６６の上端を水密に着座させるシート部７８と、筒部材５２の内周面に水密に弾性接触するリップ部８０とを有している。
尚シール部材７６は継手本体２６に対し接着により固定されている。
【００２５】
散水部材５０は、軸部５６を嵌入孔４４内部において上下に摺動させつつ、継手本体２６に対し所定ストローク上下移動可能、即ち軸方向に移動可能とされている。
尚、筒部材５２はその下端部が散水部材５０における散水板６０の外周部のテーパ形状に対応した形状の逆テーパ部８２とされており、この逆テーパ部８２が散水板６０の外周部に当接して、自身の上昇とともに散水部材５０を図中上向きに持ち上げるようになっている。
ここで筒部材５２は、散水部材５０よりも大きいストロークで継手本体２６に対し上下移動可能に設けられている。
【００２６】
上記操作リング５４は、内周側に２条の螺旋溝９６を有している。
一方上記筒部材５２の上端部且つ外周側には、径方向外向きに突出する突部９８が設けられており、この突部９８が２条の螺旋溝９６に且つその螺旋溝９６に沿って摺動可能に係入させられている。
これら螺旋溝９６と突部９８とはカム機構を成すもので、操作リング５４を回転操作したとき、このカム機構によって筒部材５２が図中上下に移動させられる。即ち操作リング５４の回転運動がカム機構によって筒部材５２の軸方向の移動に変換される。
【００２７】
本実施形態の吐水口１６は次のようにして吐水を切り換える。
図１はシャワー吐水時の状態を示しており、このとき散水部材５０及び筒部材５２は何れも上昇位置にあって、周孔７２を通過する第２吐水路７４は閉鎖された状態にある。
このとき周孔７２自体もまた、筒部材５２における逆テーパ部８２と散水部材５０の散水板６０における外周部との当接によって閉鎖された状態にある。
この状態では、水路１５から流下した水は第１吐水路７０によってシャワー口６４にのみ導かれて、そこから下向きに吐水される。即ちこのときにはシャワー口６４からのシャワー吐水のみが行われる。
【００２８】
この状態から操作リング５４を右向き（時計方向）に回転操作すると、操作リング５４の螺旋溝９６と筒部材５２の突部９８とによって、即ちそれらにより構成されるカム機構によって、操作リング５４の回転運動が筒部材５２の軸方向の移動に変換されて、筒部材５２が図中下向きに下降移動し、またこれに連動して筒部材５２によって支持されていた散水部材５０が自重及び水圧の作用により同じく図中下向きに下降移動する。
そしてその筒部材５２の移動ストロークの途中において散水部材５０が止輪５８と継手本体２６における円筒部４２の上端との当接により一定位置で下降移動が停止される。
一方筒部材５２は、更にこの状態から引き続いて下向きに下降移動する。
【００２９】
その最終下降状態が図２に示すストレート吐水時の状態であり、このとき図２に示しているように散水部材５０における堤部６６とシール部材７６との間に上下の隙間が形成されるとともに、逆テーパ部８２と散水板６０の外周部との間にも隙間が生じて、周孔７２が全周に亘り開放された状態となる。即ち第２吐水路７４が開放された状態となる。
ここにおいて第１吐水路７０を流通した水がシャワー口６４から下向きに吐水されるとともに、併せて第１吐水路７０を下向きに向う水の一部が散水部材５０における堤部６６を乗り越えてシャワー口６４の外周側に回り込み、周孔７２へと流れ込んでその周孔７２から下向きに吐水される。即ちこのとき、シャワー口６４からの吐水と周孔７２からの吐水との両方が同時に行われる。
本実施形態では、このシャワー口６４からの吐水と周孔７２からの吐水とが１本の整流束でのストレート吐水を形成する。
【００３０】
図３〜図６に吐水口１６の機能部ユニット１８をストレーナ部材３８とともに脱着するための構造が具体的に示してある。
図４に示しているように機能部ユニット１８、具体的には組付リング２８には上，下一対のフランジ部１００，１０２が設けられていて、それらの間に環状のスライド係合溝１０４が形成されている。
この組付リング２８にはまた、１８０°隔たった２箇所に円弧形状をなす縦方向の切欠部１０６が設けられている。
【００３１】
ここで上，下一対のフランジ部１００，１０２のそれぞれには後ろ側に平坦な切落し面から成る位置決面１０８，１０８が形成されている。
これら位置決面１０８，１０８は図７に示す吐水口本体部２０側の対応する位置決面１１０に係合して、機能部ユニット１８の回転方向の位置決めをなすものである。
またスライド係合溝１０４は、後述するロック部材１１２によるロックのためのものであり、また切欠部１０６はロック部材１１２によるロック解除位置において組付リング２８、即ち機能部ユニット１８全体を挿脱するためのものである。
【００３２】
ロック部材１１２は全体として薄板状をなす部材であって、一対のアーム１１４と、これより後ろ向きに突出する形態の操作部１１６とを有している。
一対のアーム１１４のそれぞれは、各先端部に内面が円弧形状をなして内向きに突出する第１係合部１１８と、その付根側の第２係合部１２０を有している。
ここで第２係合部１２０は、内側面が上記フランジ部１００の湾曲形状に対応した湾曲形状をなしている（図７参照）。
一方操作部１１６には、これを上下に貫通する形態でドライバ等の工具の先端部を掛止するための掛止孔１２２が設けられている。
【００３３】
ロック部材１１２は、一対のアーム１１４の先端部の第１係合部１１８を機能部ユニット１８の縦の切欠部１０６に位置させた状態で機能部ユニット１８の挿脱を許容し、またその位置から前進移動して第１係合部１１８，第２係合部１２０をそれぞれ切欠部１０６の前後に位置させて、それらをスライド係合溝１０４（厳密にはフランジ部１００）に係合させることで機能部ユニット１８を組付状態にロックする。
【００３４】
一方内管１４の側、詳しくは吐水口本体部２０の側には、図５及び図６に示しているように機能部ユニット１８におけるスライド係合溝１０４に対向する位置において１８０°隔たった一対の貫通の窓部１２４が設けられており、更にこれら窓部１２４に続いてその外周面の側に、ロック部材１１２を保持し且つ前後方向にスライド案内する溝状のスライド案内部１２６が設けられている。
また図１及び図２に示しているように、吐水管１０における外殻管１２の下面部には、工具を差し込むための貫通の差込口１２８が設けられている。
尚、本実施形態では図１から明らかなように上記ロック部材１１２，スライド案内部１２６等は外殻管１２の内側に隠蔽状態にある。
【００３５】
図７（Ａ）はロック部材１１２が前進位置にあって、機能部ユニット１８をストレーナ部材３８とともに組付位置にロックした状態を表しており、また（Ｂ）はロック部材１１２が後退位置にあって、ロックを解除した状態を表している。
尚図７（Ｂ）の後退位置は、吐水口本体部２０に設けられたストッパ１３０にて規定される。
【００３６】
ロック部材１１２は、図７（Ａ）の前進位置にあるとき第１係合部１１８と第２係合部１２０とがそれぞれ機能部ユニット１８におけるスライド係合溝１０４に係合した状態にあり、機能部ユニット１８はロック部材１１２によって組付状態にロックされ、吐水管１０の先端部、詳しくは内管１４及び外殻管１２における各開口部２２，２４から抜止めされている。
【００３７】
この状態において、図１に示しているようにドライバ等工具の先端部を外殻管１２の差込口１２８から差し込んでロック部材１１２の掛止孔１２２に掛止させ、そしてロック部材１１２を後退移動させると、ここにおいて図７（Ｂ）に示しているようにロック部材１１２における一対のアーム１１４の先端部の第１係合部１１８が、機能部ユニット１８における縦の切欠部１０６に位置した状態となり、また第２係合部１２０が上側のフランジ部１００よりも後方に退避した状態となって、ここにおいて機能部ユニット１８に対するロック部材１１２によるロックが解除される。
従ってこの状態で機能部ユニット１８を下向きに引くことで、かかる機能部ユニット１８を吐水口本体部２０から抜き出すことができる。即ち機能部ユニット１８に保持されていたストレーナ部材３８を吐水口本体部２０から取り外すことができる。
尚機能部ユニット１８を再び組み付ける際の手順は上記とは逆の手順となる。
【００３８】
以上のような本実施形態によれば、単にロック部材１１２をスライドさせるだけで簡単に機能部ユニット１８とともにストレーナ部材３８を組付位置から取り外すことができ、或いはまたこれを組付位置に組み付けることができ、ストレーナ部材３８の脱着のための作業が簡単でその際の手間を軽減でき、また脱着のための所要時間も短くすることができる。
本実施形態に示すような吐水口キャップの螺合，螺合解除によりストレーナ部材３８を脱着できない構造の吐水口１６であっても支障無くストレーナ部材３８を脱着することができる。
【００３９】
更に本実施形態においてはロック部材１１２の操作部１１６を吐水口１６の後ろ側に位置させているため、ロック部材１１２を誤って操作してしまうのを有効に防止することができる。
【００４０】
またロック部材１１２を吐水管１０の管軸方向に沿った前後方向にスライドさせるようになしているため、ロック部材１１２ないしスライド案内部１２６が吐水管１０の側方に突出した状態となるのを回避でき、吐水口１６周辺の意匠性を良好に保持することができる。
【００４１】
以上本発明の実施形態を詳述したがこれはあくまで一例示である。
例えば上例ではロック部材１１２を前後方向にスライドさせるようにしているが、場合によって図８に示しているようにロック部材１１２を回転させることで、ロック位置とロック解除位置とに位置移動させるようになすこともできる。
ここで１３２はロック部材１１２の係合部を、また１３４は機能部ユニット１８側に設けられた係合溝を表している。
【００４２】
図８（Ａ）はロック部材１１２によるロック状態を表しており、このときロック部材１１２の係合部１３２が機能部ユニット１８の係合溝１３４に係合した状態にあって、機能部ユニット１８は組付位置にロックされた状態にある。
この状態からロック部材１１２を回転し、図８（Ｂ）に示すようにロック部材１１２の係合部１３２を機能部ユニット１８の切欠部１３６に対向する位置に位置させることで、機能部ユニット１８が取外し可能となる。
その他本発明はその趣旨を逸脱しない範囲において種々変更を加えた形態で構成可能である。
【図面の簡単な説明】
【００４３】
【図１】本発明の一実施形態の脱着構造を含む吐水管先端部の構造をシャワー吐水状態で示す図である。
【図２】同吐水管先端部の構造をストレート吐水状態で示す図である。
【図３】図１に示す吐水管を正面から見た一部断面図である。
【図４】図１，図２の機能部ユニット及びロック部材を吐水口本体部から外した状態を示す図である。
【図５】図４に示した部分の側面図及び断面図である。
【図６】ロック部材を吐水口本体部に組み付けた状態を示す図である。
【図７】同実施形態の脱着構造の作用説明図である。
【図８】本発明の他の実施形態の要部を示す図である。
【符号の説明】
【００４４】
１６  吐水口
１８  機能部ユニット（保持部材）
２０  吐水口本体部
３８  ストレーナ部材
１１２  ロック部材
１１６  操作部
１２６  スライド案内部
【図１】
2006193923.tif 000003
【図２】
2006193923.tif 000004
【図３】
2006193923.tif 000005
【図４】
2006193923.tif 000006
【図５】
2006193923.tif 000007
【図６】
2006193923.tif 000008
【図７】
2006193923.tif 000009
【図８】
2006193923.tif 000010